(57)【要約】      （修正有）【課題】衿付き上衣を対象として懸吊状態での陳列および横置き状態での陳列のいずれに対しても適応可能な商品タグを提供する。【解決手段】ハンガーを用いた懸吊状態および横置き状態を含む複数の陳列形態で陳列されるワイシャツ（衿付き上衣）の衿部に取り付けられて商品情報を表示する商品タグであって、商品タグを平面に展開した商品タグシート１の平面形状は、衿付き上衣の後身頃に対応する基部２と、基部から衿部の突出方向である第１方向に延出して設けられ、衿部の後衿の前面に対応する第１の衿接触部３と、第１の衿接触部３から第１方向に延出して設けられ後衿の上端面に対応する衿折り返し部４と、衿折り返し部から第１方向にさらに延出して設けられ後衿の後面に対応する第２の衿接触部５と、衿折り返し部４に設けられ、ハンガーの懸吊軸が挿通する開口部４ａとを備える。【選択図】図２
0003214830.tif 000002
【実用新案登録請求の範囲】
【請求項１】
シート状部材を所定形状に折り曲げて構成され、ハンガーを用いた懸吊状態および横置き状態を含む複数の陳列形態で陳列される衿付き上衣の衿部に取り付けられて、当該衿付き上衣に関する商品情報を表示する商品タグであって、
前記商品タグを平面に展開した平面形状は、
前記衿付き上衣の後身頃に対応する基部と、
前記基部から前記衿部の突出方向である第１方向に延出して設けられ、前記衿部の後衿の前面に対応する第１の衿接触部と、
前記第１の衿接触部から前記第１方向に延出して設けられ前記後衿の上端面に対応する衿折り返し部と、
前記衿折り返し部から前記第１方向にさらに延出して設けられ前記後衿の後面に対応する第２の衿接触部と、
前記衿折り返し部に設けられ、前記懸吊状態において前記ハンガーの懸吊軸が挿通する開口部と、を備えたことを特徴とする商品タグ。
【請求項２】
前記第１の衿接触部、前記衿折り返し部および前記第２の衿接触部の、前記第１方向と直交する幅方向の寸法は、前記基部の前記幅方向の寸法よりも小さいことを特徴とする請求項１に記載の商品タグ。
【請求項３】
前記基部、第１の衿接触部および第２の衿接触部のうち少なくとも前記基部には、前記商品情報を表示する情報表示領域が設けられていることを特徴とする請求項１または２のいずれかに記載の商品タグ。
【考案の詳細な説明】
【技術分野】
【０００１】
本考案は、ワイシャツなどの衿付き上衣に取り付けられる商品タグに関するものである。
【背景技術】
【０００２】
商品の販売に際して消費者に当該商品に関する情報を知らせるための手段として、商品タグが広く用いられている。例えば衣料品の販売では、衣料品の衿や袖などに、当該衣料品の商品名、特徴、価格など宣伝や販売促進に必要とされる項目が記載された商品タグが取り付けられる（特許文献１参照）。この特許文献例では、商品情報が表示された矩形シート状の商品タグにおいて、ワイシャツの前ボタンの間に挟み込むための切り込みを上下に設けた構成が記載されている。
【先行技術文献】
【特許文献】
【０００３】
【特許文献１】特開２００４−１７０７３５号公報
【考案の概要】
【考案が解決しようとする課題】
【０００４】
ところで、商品タグの取り付け対象となる商品の種類によっては、販売場所における陳列状態が異なる場合がある。例えば商品がワイシャツなどの衿付き上衣である場合には、ハンガーを用いて懸吊状態で陳列される場合と、所定の形状に折り畳まれて商品棚などに横置き状態で陳列される場合とがある。そして衿付き上衣については、商品タグは衿に取り付けられるケースが多いことから、従来は衿付き上衣を対象とする場合には、陳列の形態に応じて複数種類の商品タグを準備する必要があった。このためワイシャツなどの衿付き上衣を対象として、懸吊状態での陳列および横置き状態での陳列のいずれに対しても適応可能な商品タグが求められていた。
【０００５】
そこで本考案は、衿付き上衣を対象として懸吊状態での陳列および横置き状態での陳列のいずれに対しても適応可能な商品タグを提供することを目的とする。
【課題を解決するための手段】
【０００６】
本考案の商品タグは、シート状部材を所定形状に折り曲げて構成され、ハンガーを用いた懸吊状態および横置き状態を含む複数の陳列形態で陳列される衿付き上衣の衿部に取り付けられて、当該衿付き上衣に関する商品情報を表示する商品タグであって、前記商品タグを平面に展開した平面形状は、前記衿付き上衣の後身頃に対応する基部と、前記基部から前記衿部の突出方向である第１方向に延出して設けられ、前記衿部の後衿の前面に対応する第１の衿接触部と、前記第１の衿接触部から前記第１方向に延出して設けられ前記後衿の上端面に対応する衿折り返し部と、前記衿折り返し部から前記第１方向にさらに延出して設けられ前記後衿の後面に対応する第２の衿接触部と、前記衿折り返し部に設けられ、前記懸吊状態において前記ハンガーの懸吊軸が挿通する開口部と、を備えた。
【考案の効果】
【０００７】
本考案によれば、衿付き上衣を対象として懸吊状態での陳列および横置き状態での陳列のいずれに対しても適応可能な商品タグを提供することができる。
【図面の簡単な説明】
【０００８】
【図１】本考案の一実施の形態の商品タグの折り曲げ形状を示す斜視図
【図２】本考案の一実施の形態の商品タグの平面展開形状を示す平面図
【図３】本考案の一実施の形態の商品タグをハンガーにより懸吊状態の衿付き上衣に使用する場合の説明図
【図４】本考案の一実施の形態の商品タグをハンガーにより懸吊状態の衿付き上衣に使用する場合の説明図
【図５】本考案の一実施の形態の商品タグを横置き状態の衿付き上衣に使用する場合の説明図
【図６】本考案の一実施の形態の商品タグを横置き状態の衿付き上衣に使用する場合の説明図
【考案を実施するための形態】
【０００９】
次に本考案の実施の形態を図面を参照して説明する。まず図１を参照して、本考案における商品タグの平面形状および折り曲げ形状について説明する。本考案における商品タグは、ワイシャツなどの衿付き上衣に取り付けられて使用され、ブランド名やサイズ、商品番号、商品の特徴・機能など、当該衿付き上衣に関する商品情報を表示する機能を有する。
【００１０】
本考案では、図１（ａ）に示す平面形状で製作された原紙状態の商品タグシート１を用いている。商品タグシート１は、厚紙や樹脂シートなど所望の剛性を有するシート状部材より製作される。商品タグシート１を取り付け対象に応じて所定形状に折り曲げることにより、陳列姿勢が異なる複数の陳列形態で陳列されるワイシャツ１０の衿部に取り付けて使用する商品タグ１Ａ、１Ｂが形成される。なお、ここでは衿付き上衣としてワイシャツ１０を例示しているが、これ以外にもスーツやジャケットなど衿付き形状の上衣であれば、本考案の対象とすることができる。
【００１１】
商品タグシート１は、商品タグの本体である矩形形状の基部２から、第１の衿接触部３、衿折り返し部４、第２の衿接触部５および固定用タブ６が延出した構成となっている（図２参照）。このような形状の商品タグシート１において、衿折り返し部４を第１の衿接触部３に対して下向きに屈曲させ、さらに第２の衿接触部５を衿折り返し部４に対して水平方向に屈曲させることにより、図１（ｂ）に示すように、ハンガーを用いた懸吊状態のワイシャツ１０（図３参照）の衿部に取り付けて使用する商品タグ１Ａが形成される。
【００１２】
また商品タグシート１において、第１の衿接触部３を基部２に対して上向きに屈曲させるとともに、衿折り返し部４を第１の衿接触部３に対して水平方向に屈曲させ、さらに第２の衿接触部５を衿折り返し部４に対して下向きに屈曲させることにより、図１（ｃ）に示すように、横置き状態のワイシャツ１０（図５参照）の衿部に取り付けて使用する商品タグ１Ｂが形成される。
【００１３】
ここで商品タグシート１の詳細形状を図２を参照して説明する。なお商品タグシート１の各部の形状および機能の説明に際しては、図３〜図６の各図を適宜参照する。図３は、図１（ｂ）に示す商品タグ１Ａを、ハンガー７によって懸吊状態で陳列するワイシャツ１０について使用する際の状態を示している。図４（ａ）は、図３におけるＡ−Ａ断面を示しており、さらに図４（ｂ）は、図４（ａ）におけるＢ矢視を示している。図５は、図１（ｃ）に示す商品タグ１Ｂを、横置き状態で陳列するワイシャツ１０について使用する際の状態を示している。図６（ａ）は、図５におけるＣ−Ｃ断面を示しており、さらに図６（ｂ）は、図６（ａ）におけるＤ矢視を示している。
【００１４】
ここで陳列対象のワイシャツ１０の構成について説明する。図３に示すように、ワイシャツ１０の前面、後面に相当する前身頃１２、後身頃１３の上端部は、着用時の肩に相当するヨーク１４によって結合されている。衿部１１において首回りの後ろ側に相当する後衿１１ａは、ヨーク１４から第１方向（図２において上方向）に突出している。後衿１１ａは、後身頃１３に接続された前面１１ｂと、前面１１ｂの上端から下方に折り返された後面１１ｃ（図４（ａ）参照）よりなる。さらに首廻りを周回した衿部１１は、前身頃１２と結合されて衿羽根１１ｄを形成している。
【００１５】
図３、図２において、基部２は商品タグシート１の本体部に相当する部分であり、ワイシャツ１０に取り付けられた状態において、後身頃１３に対応する位置にある。なお、図１に示す第１方向は、図１に示す商品タグ１Ａ、１Ｂが取り付けられるワイシャツ１０において、衿部１１（図３参照）がワイシャツ１０から突出する方向を示している。
【００１６】
基部２は、所定の商品情報を表示するための情報表示領域２ｃが設定された表示部２ｂと接触保持部２ａとに区分される。図３、図５に示すように、ワイシャツ１０に取り付けられた状態において、情報表示領域２ｃは衿部１１の２つの衿羽根１１ｄの間にあって、外部から視認可能となっている。また接触保持部２ａは、ワイシャツ１０に取り付けられた状態において衿羽根１１ｄと接続された部分の前身頃１２によって覆われる。これにより、ワイシャツ１０に取り付けられた状態の商品タグ１Ａ、商品タグ１Ｂが安定して位置保持されるようになっている。
【００１７】
基部２の上端辺からは、第１の衿接触部３が折曲げ線Ｌ１を介して第１方向に延出して設けられている。第１の衿接触部３は略矩形形状であり、所定の商品情報を表示するための情報表示領域３ａが設定されている。第１の衿接触部３は折曲げ線Ｌ１に沿って基部２に対して屈曲可能となっている。これにより、図１（ｃ）および図６（ａ）に示すように、基部２に対して第１の衿接触部３が上向きに屈曲した形状の断面を形成することができる。
【００１８】
ワイシャツ１０に取り付けられた状態では、第１の衿接触部３は衿部１１の後衿１１ａの前面１１ｂに対応した位置にある。すなわち商品タグ１Ａの場合には、図４（ａ）に示すように、第１の衿接触部３は、懸吊軸７ａを挟んで後衿１１ａの前面１１ｂに対向している。そして商品タグ１Ｂの場合には、第１の衿接触部３は、後衿１１ａの前面１１ｂに対向もしくは接触している。図６（ａ）に示す例では、第１の衿接触部３は、後衿１１ａの前面１１ｂから離れて対向している。
【００１９】
第１の衿接触部３の上端辺からは、第１方向に衿折り返し部４が折曲げ線Ｌ２を介して延出して設けられている。衿折り返し部４にはハンガー７の懸吊軸７ａが挿通するための開口部４ａが設けられている。さらに衿折り返し部４からは、第１方向に第２の衿接触部５が折曲げ線Ｌ３を介して延出して設けられている。ハンガー７によってワイシャツ１０を懸吊する際には、開口部４ａに懸吊軸７ａを挿通させて、図３、図４（ａ）に示すように、ハンガー本体７ｂをヨーク１４の下面に接触させて、前身頃１２、後身頃１３を垂下状態とする。
【００２０】
衿折り返し部４は折曲げ線Ｌ２に沿って第１の衿接触部３に対して屈曲可能であり、第２の衿接触部５は折曲げ線Ｌ３に沿って衿折り返し部４に対して屈曲可能となっている。これにより、図１（ｂ）および図４（ａ）に示すように、第１の衿接触部３に対して衿折り返し部４が水平方向に屈曲するとともに、さらに衿折り返し部４に対して第２の衿接触部５が下向きに屈曲した形状の断面を形成することが可能となっている。ワイシャツ１０に取り付けられた状態では、衿折り返し部４は後衿１１ａの上面に対応した位置にある。そして商品タグ１Ａ、１Ｂいずれの場合においても、第２の衿接触部５は後衿１１ａの後面１１ｃに対応した位置にあって、且つ後面１１ｃと接触した状態にある（図４（ａ）、図６（ａ）参照）。
【００２１】
ここで、図４（ａ）に示すように、ワイシャツ１０に取り付けた商品タグ１Ａにおいて、衿部１１の後衿１１ａとともにハンガー７の懸吊軸７ａとを第１の衿接触部３と第２の衿接触部５との間に収容可能なように、折曲げ線Ｌ２と折曲げ線Ｌ３との間隔が設定される。衿折り返し部４をこのような寸法設定とすることにより、図６（ａ）に示す商品タグ１Ｂとして用いる場合には、第１の衿接触部３と第２の衿接触部５との間に後衿１１ａを余裕を以て収容することができる。
【００２２】
第２の衿接触部５の上端部からは、固定用タブ６が折曲げ線Ｌ４を介して第１方向に延出している。横置き状態で陳列するワイシャツ１０に対して、商品タグ１Ｂを衿部１１に取り付ける際には、折曲げ線Ｌ４に沿って固定用タブ６を折り返す。そして図６（ａ）に示すように、折り返された固定用タブ６を前面１１ｂ、後面１１ｃの間に挟み込む。これにより、商品タグ１Ｂを、衿部１１に安定して保持させることができる。その一方で、ハンガー７によって懸吊状態で陳列するワイシャツ１０に対して、商品タグ１Ａを衿部１１に取り付ける際には、図４（ａ）に示すように固定用タブ６は折り返さなくてもよい。（もちろん、折り返してもよい）
【００２３】
図２に示すように、基部２の幅寸法Ｂ１（第１方向と直交する幅方向の寸法）は、第１の衿接触部３、第２の衿接触部５の幅寸法Ｂ２よりも大きく設定されている。さらに幅寸法Ｂ２は、衿折り返し部４の幅寸法Ｂ３よりも大きく設定されている。換言すれば、第１の衿接触部３、衿折り返し部４および第２の衿接触部５の第１方向と直交する幅方向の寸法は、基部２の幅方向の寸法よりも小さい寸法に設定されており、商品タグシート１において折曲げ線を介して接続されている２つの要素の間では幅寸法を異ならせるようにしている。これにより、２つの要素を相互に折り曲げるに際し、折曲げ線に沿って正確に且つ作業性良く折り曲げることができる。
【００２４】
なお、折曲げ線Ｌ１〜折曲げ線Ｌ４の折曲げ作業性を向上させるため、これらの折曲げ線に押圧加工による線状溝やミシン目等を設けるようにしてもよい。さらに本実施の形態においては、基部２、第１の衿接触部３、第２の衿接触部５の各要素のコーナ部はＲ形状に加工されているが、このようなコーナ部処理は必須ではなく、単なるコーナカット処理や、折曲げ線の端部にノッチを形成する処理のみを施すようにしてもよい。
【００２５】
図２に示すように、基部２の表示部２ｂには情報表示領域２ｃが設定されており、第１の衿接触部３、第２の衿接触部５には、それぞれ情報表示領域３ａ、５ａが設定されている。情報表示領域２ｃは、商品タグ１Ａとして用いる場合においても（図３参照）、また商品タグ１Ｂとして用いる場合においても（図５参照）、衿部１１における２つの衿羽根１１ｄの間の空間を介して外部から視認される。このとき、情報表示領域２ｃに隣接する位置にある第１の衿接触部３の情報表示領域３ａもともに視認される。
【００２６】
さらに、第２の衿接触部５に設定された情報表示領域５ａについては、商品タグ１Ａとして用いる場合においても（図４（ｂ）参照）、また商品タグ１Ｂとして用いる場合においても（図６（ｂ）参照）、後衿１１ａの背後側から視認される。このように、本考案に示す商品タグシート１を用いた商品タグ１Ａ、１Ｂでは、十分なエリア面積の情報表示領域が確保されている。
【００２７】
なお、基部２、第１の衿接触部３、第２の衿接触部５にそれぞれ設けられた情報表示領域２ｃ、情報表示領域３ａ、情報表示領域５ａの全てを備えている必要はない。これらのうち、少なくとも最も視認容易な位置にある情報表示領域２ｃを備えていればよい。すなわち本考案においては、基部２、第１の衿接触部３、第２の衿接触部５のうち少なくとも基部２に商品情報を表示する情報表示領域２ｃが設けられている。
【００２８】
上記説明したように、本考案に示す商品タグは、シート状部材を所定形状に折り曲げて構成され、ハンガーを用いた懸吊状態および横置き状態を含む複数の陳列形態で陳列されるワイシャツ１０（衿付き上衣）の衿部に取り付けられて、当該衿付き上衣に関する商品情報を表示する商品タグであって、この商品タグを平面に展開した商品タグシート１の平面形状は、衿付き上衣の後身頃に対応する基部２と、基部２から衿部の突出方向である第１方向に延出して設けられ、衿部の後衿の前面に対応する第１の衿接触部３と、第１の衿接触部３から第１方向に延出して設けられ後衿の上端面に対応する衿折り返し部４と、衿折り返し部４から第１方向にさらに延出して設けられ後衿の後面に対応する第２の衿接触部５と、衿折り返し部４に設けられ、懸吊状態においてハンガーの懸吊軸が挿通する開口部４ａとを備えた構成となっている。このような構成により、ワイシャツ１０を対象として懸吊状態での陳列および横置き状態での陳列のいずれに対しても、共通の商品タグを適応することが可能となっている。
【産業上の利用可能性】
【００２９】
本考案の商品タグは、衿付き上衣を対象として懸吊状態での陳列および横置き状態での陳列のいずれに対しても適応可能であるという効果を有し、ワイシャツなどの衿付き上衣を陳列して販売する分野において有用である。
【符号の説明】
【００３０】
１  商品タグシート
１Ａ  商品タグ
１Ｂ  商品タグ
２  基部
２ｃ、３ａ、５ａ  情報表示領域
３  第１の衿接触部
４  衿折り返し部
４ａ  開口部
５  第２の衿接触部
７  ハンガー
７ａ  懸吊軸
１０  ワイシャツ
１１  衿部
１１ａ  後衿
１２  前身頃
１３  後身頃
【図１】
0003214830.tif 000003
【図２】
0003214830.tif 000004
【図３】
0003214830.tif 000005
【図４】
0003214830.tif 000006
【図５】
0003214830.tif 000007
【図６】
0003214830.tif 000008